(57)【要約】【課題】本発明は、界面活性剤を配合してなる、水性液体媒質により洗浄を行うことが可能な平版印刷用油性インキを提供するものである。【解決手段】本発明の界面活性剤を含有してなり、水性液体媒質中に自己乳化もしくは自己分散することが可能な平版印刷用油性インキ、さらに好ましくは界面活性剤を０．５〜４０重量％の範囲で含有してなる上記平版印刷用油性インキを用いることにより、揮発性有機物質を含有しない水性液体媒質によって、印刷装置、器具等に付着したインキを効果的に除去できる。【特許請求の範囲】
【請求項１】
界面活性剤を含有してなり、水性液体媒質中に自己乳化もしくは自己分散することが可能な平版印刷用油性インキ。
【請求項２】
界面活性剤を０．５〜４０重量％の範囲で含有してなる請求項１記載の平版印刷用油性インキ。
【請求項３】
界面活性剤が、ＨＬＢ１５以下の非イオン性界面活性剤である請求項１または２記載の平版印刷用油性インキ。
【請求項４】
非イオン性界面活性剤が、ポリオキシエチレンモノ不飽和脂肪酸エステルである請求項１〜３記載の平版印刷用油性インキ。
【請求項５】
平版印刷用油性インキが、水無し平版印刷用油性インキである請求項１〜４記載の平版印刷用油性インキ。
【発明の詳細な説明】
【０００１】
【産業上の利用分野】
本発明は、印刷に用いた印刷装置、器具等の洗浄を行う際に、揮発性有機物質を含有しない水性液体媒質によって効果的に洗浄を行える、平版印刷用油性インキを提供するものである。
【０００２】
【従来の技術】
近年、環境への化学物質の放出が問題となることが多いが、平版印刷プロセスにおいて用いられる印刷インキ、湿し水からの揮発性成分の低減が図られつつある。一方、印刷機のローラーやブランケットなどの洗浄には揮発性有機物質（ＶＯＣ）よりなる洗浄剤が主に用いられており、印刷工程全般のＶＯＣ排出量を押し上げるものとなってきている。
【０００３】
このような中、平版インキを構成する樹脂成分の水性化能を利用してインキの水洗浄性を実現しようとする試みが特表平８−５０１５８９号公報に開示されているが、この発明では、インキを構成する樹脂の極性が高いために一般的な平版インキ用溶剤との親和性が劣り、印刷インキに求められる適切な流動適性が確保できないために、実用的な印刷適性を実現することが極めて困難である問題点を有している。印刷インキに必要な流動特性を確保し、良好な印刷適性を実現するためにはインキ構成樹脂の極性を下げ、インキ溶剤との親和性を上げることが必要であるが、このような樹脂を用いた印刷インキは、その水洗浄性が劣ってしまう欠点を有していた。
【０００４】
【先行文献１】
特表平８−５０１５８９号公報
【０００５】
【発明が解決しようとする課題】
本発明は、高極性樹脂をインキ構成樹脂として用いることなく、従って好適な印刷効果を確保しながら、印刷機等の洗浄を水性液体媒質により行うことを可能とし、平版印刷工程からの揮発性有機物質の放出を低減しようとするものである
【０００６】
【課題を解決するための手段】
本発明者らは鋭意検討の結果、平版印刷用油性インキに界面活性剤を含有せしめることにより、該油性印刷インキを水性液体媒質により洗浄することが可能となる事を見いだし、本発明を完成するに至ったものである。
【０００７】
即ち本発明は、界面活性剤を含有してなり、水性液体媒質中に自己乳化もしくは自己分散することが可能な平版印刷用油性インキに関するものである。
【０００８】
また本発明は、界面活性剤を０．５〜４０重量％の範囲で含有してなる上記平版印刷用油性インキに関するものである。
【０００９】
更に本発明は、水洗浄性付与成分としてＨＬＢが１５以下の非イオン性界面活性剤を含有してなる平版印刷用油性インキに関するものであり、更に好ましくは、ポリオキシエチレンモノ不飽和脂肪酸エステルを該非イオン性界面活性剤として含有してなる平版印刷用油性インキに関するものである。更に本発明は、水無し平版印刷用油性インキとして用いられることを特徴とする上記平版印刷用油性インキに関するものである。
【００１０】
【発明の実施の形態】
以下、本発明に関して詳細に説明する。
本発明の平版印刷用油性インキは、界面活性剤を含有することにより、水性液体媒質中に自己乳化もしくは自己分散することが可能であることを特徴とするものである。
【００１１】
本発明の平版印刷用油性インキを構成する成分のうち界面活性剤以外の成分に関しては、一般的な平版印刷用油性インキにおいて用いられるものを用いても特に差し障りはなく、例えば、インキ用バインダー樹脂としては、一般的なロジン変性フェノール樹脂、石油樹脂、石油樹脂アルキッド、アルキッド樹脂、エステルガム、ロジンアルキッドや、これらの変性物などが挙げられ、印刷インキ用樹脂の平版印刷インキ中における含有量は２０〜７０重量％の範囲にあることが好ましい。
【００１２】
また、植物油としては、アマニ油、キリ油、大豆油、大風子油、パーム油、ヒマシ油、ヤシ油、脱水ヒマシ油などが一例として挙げられ、また本発明の平版印刷用油性インキには植物油脂肪酸エステル類のようなインキ溶剤を配合せしめることもできる。これらの植物油やインキ溶剤の類は、平版印刷インキ中に１〜４０重量％の範囲で含有せしめる事が好ましい。
【００１３】
また、本発明の平版印刷用油性インキには着色剤として有機顔料ないしは無機顔料を含有せしめることができる。通常用いられる顔料としては、ジスアゾイエロー、ブリリアントカーミン６Ｂ、フタロシアニンブルーが代表的なものであり、墨インキ用としてのカーボンブラック、そのほかの無機顔料なども用いられる。これらの着色剤の平版印刷インキ中における含有量は、一般的に５〜３０重量％の範囲にあることが好ましい。
【００１４】
更に、本発明を特徴づける界面活性剤には、印刷プロセス上の支障をきたすものでなければ適宜用いることができ、例えば、飽和脂肪酸やその塩，不飽和脂肪酸やその塩、ポリオキシエチレンアルキルエーテルカルボン酸塩、ポリオキシプロピレンアルキルエーテルカルボン酸塩、アルキルスルホン酸塩、アルキルベンゼンスルホン酸塩、スルホコハク酸塩、アルキル硫酸塩、アルキルエーテル硫酸塩、ポリオキシアルキレンアルキルアリルエーテル硫酸塩、アルキルアミド硫酸塩、アルキルリン酸塩、ポリオキシアルキレンアルキルエーテルリン酸塩、ポリオキシアルキレンアルキルアリルエーテルリン酸塩、脂肪族アルキルアミン塩、脂肪族４級アンモニウム塩、ポリオキシエチレンアルキルエーテル、ポリオキシエチレンアルキルフェニルエーテル、ポリオキシエチレンポリオキシプロピレンブロックコポリマー、ポリオキシエチレンポリオキシプロピルアルキルエーテルポリオキシエチレングリセリン脂肪酸エーテル、ポリオキシエチレンソルビタン脂肪酸エステル、ポリオキシエチレンソルビトール脂肪酸エステル、ポリエチレングリコール脂肪酸エステル、エチレングリコール脂肪酸エステル、グリセリン脂肪酸エステル、ポリグリセリン脂肪酸エステル、ソルビタン脂肪酸エステル、ポリオキシエチレン植物油脂肪酸エステルなどが例として挙げられるが、これらに限定させるものではない。これらの界面活性物質は単独で用いてもよく、また二種類以上のものの併用において用いてもよい。
【００１５】
本発明で用いる界面活性物剤として、より好ましくはＨＬＢが１５以下の非イオン性界面活性剤を用いることができる。ＨＬＢが１５を越えるものは、一般的な平版印刷用インキの成分である石油系溶剤や植物油などへの溶解性が劣る場合が多く、均一な組成物を得ることができない場合がある。また、イオン性を有する界面活性剤は、分子内に高極性の官能基を有するため、平版印刷の、版面の親水部と疎水部を利用した画像形成メカニズムに照らして好ましくない場合もある。即ち、一般的に非画線部となるべき版面の親水部にイオン性界面活性剤が吸着し、本来インキの付着が起こらない部分にインキが付着したりする場合がある。
【００１６】
本発明で用いる界面活性剤として、更に好ましくはポリオキシエチレンモノ不飽和脂肪酸エステルを用いることができる。このようなものを用いると、界面活性剤の分子内に酸化重合に預かることが可能な不飽和結合を有しているため、得られる印刷物により高度の乾燥性（酸化硬化性）を与えることが可能となり、印刷物に各種耐性を与えることが可能となるものである。また上述したとおり、分子内にイオン性基を有さないために、版面の親水部へのインキ付着などの問題を引き起こしにくく、好ましい場合が多い。本発明で用いるポリオキシエチレンモノ不飽和脂肪酸エステルの基体となる不飽和脂肪酸としては、アマニ油脂肪酸，桐油脂肪酸，大豆油脂肪酸などが一例として挙げられ、これらはリノール酸，リノレン酸，エレオステアリン酸などの不飽和脂肪酸の混合物として構成される。
【００１７】
本発明の平版印刷用油性インキに含有される界面活性剤は、該印刷インキを水性液体媒質中に自己乳化もしくは自己分散する事ができる量で含有される必要があるが、一般的にはインキ中に０．５〜４０重量％の範囲で含有せしめることが好ましい。
【００１８】
【実施例】以下、実施例と比較例を示し本発明をより具体的に説明するが、以下の実施例等は本発明に何らの制限を与えるものではない。
【００１９】
（製造例１）  反応容器中に、ロジン変性フェノール樹脂（荒川化学工業製；重量平均分子量３００００、酸価２０ｍｇＫＯＨ／ｇ）５０部、大豆油（日清製油製）１５部、大豆油脂肪酸ｎ−ブチルエステル３４部およびアルミニウム  ジイソプロポキシド  モノエチルアセテート１部を入れ、１９０℃で１時間加熱保持しワニスＡを得た。
【００２０】
（製造例２）  内容量１０００ｍｌの攪拌装置付きオートクレーブに、リノレン酸１５０部と水酸化カリウム２部を仕込み、窒素ガス気流下で１００℃に昇温し、生成する水を溜除しながら１２０℃まで昇温した。水の溜出が見られなくなったところで、オートクレーブに接続した圧力容器よりエチレンオキサイド１５０部を約３時間かけて徐々に圧入し、ポリオキシエチレンリノレン酸エステル２７８部を得た。この収量及び溜出するべき水の量から、未反応の為に散逸したエチレンオキサイドは１３部と推定され、これらからＨＬＢは９．１と見積もられる。
【００２１】
（実施例１）  製造例１で得たワニスＡ６０部とフタロシアニンブルー（東洋インキ製  ＬＩＯＮＯＬ  ＢＬＵＥ  ＦＧ７３３０）１８部を３本ロールで混練し、ナフテン酸マンガン１部、エマルゲン４０８（花王製  ポリオキシエチレンオレイルエーテル）２０部を混合し、タック値９．２の平版印刷用油性インキＡを得た。
【００２２】
（実施例２）  製造例１で得たワニスＡ６０部とフタロシアニンブルー（東洋インキ製  ＬＩＯＮＯＬ  ＢＬＵＥ  ＦＧ７３３０）１８部を３本ロールで混練し、ナフテン酸マンガン１部，製造例２で得たポリオキシエチレンリノレン酸エステル２０部を混合し、タック値９．２の平版印刷用油性インキＢを得た。
【００２３】
（比較例）  製造例で得たワニスＡ６０部とフタロシアニンブルー（東洋インキ製  ＬＩＯＮＯＬ  ＢＬＵＥ  ＦＧ７３３０）１８部を３本ロールで混練し、ナフテン酸マンガン１部、大豆油脂肪酸ｎ−ブチルエステル１８部を混合し、タック値９．０の平版印刷用油性インキＣを得た。
【００２４】
（洗浄性評価）  実施例または比較例に示した平版印刷用インキを、平版印刷機（ハイデルベルグ製）のインキローラーに乗せ、ローラー表面にインキを均一に転移させた後、印刷機を作動させながら水道水で洗浄作業を行い、ローラーの洗浄性を、５：インキの残存が見られず優れている  〜  １：インキの残存が多く劣っている  の５段階に目視により評価した。
【００２５】
（地汚れ性評価）  印刷物の、非画線部へのインキ付着の程度を、５：インキの付着がなく優れている  〜  １：インキの付着が多く劣っている  の５段階に目視評価を行った。
2004269731.tif 000002
【００２６】
【発明の効果】以上、本願発明が提供する、界面活性剤を配合してなる平版印刷インキは、印刷装置、および器具等に付着したインキを効果的に除去することができる。